(57)【要約】【課題】組み立ての簡素化を図る上で有利なアクセサリーを提供する。【解決手段】装着部ユニット４００の軸部５０を外部開口３２２から装着部ユニット取着用孔３２０に挿入し、４個の係止壁４０２を４個の第１支持壁３２８の間から支持溝３３１に挿入する。軸部５０を４５度回転させると、４個の係止壁４０２は支持溝３３１に軸方向に移動不能に支持される。リング部材５００の環板部５０２を内部開口３２４から装着部ユニット取着用孔３２０に挿入し２個の凹部５１０を２個の第２支持壁３３０にそれぞれ係合させ、一対の脚片５０６Ａを、隣り合う２つの係止壁４０２箇所に係合させる。【選択図】        図１９
2006173874.tif 000002
【特許請求の範囲】
【請求項１】
電子機器に装脱可能に装着されるアクセサリーであって、
前記アクセサリーは、本体ユニットと、前記電子機器側に装脱可能に装着される装着部ユニットと、前記装着部ユニットを前記本体ユニットに取着するためのリング部材とを備え、
前記本体ユニットは本体ユニット側ケースを有し、
前記本体ユニット側ケースには、前記装着部ユニットを取着するための装着部ユニット取着用孔が延在形成され、前記装着部ユニット取着用孔は前記本体ユニット側ケースの外部に外部開口として開口されると共に前記本体ユニット側ケースの内部に内部開口として開口され、
前記装着部ユニットは、前記外部開口から前記装着部ユニット取着用孔に挿入される軸部と、前記軸部の外周面から周方向に間隔をおいて複数突設された係止壁とを有し、
前記装着部ユニット取着用孔の内周壁には、前記係止壁が前記外部開口から前記装着部ユニット取着用孔に挿入され回転されることで前記係止壁が軸方向に移動不能に支持される支持溝が設けられ、
前記リング部材は、前記内部開口から前記装着部ユニット取着用孔に回転不能に挿入される環板部と、前記環板部から突設され前記係止壁が前記支持溝により軸方向に移動不能に支持された際に前記係止壁に係合し前記係止壁の回転を阻止する係合部とを有する、
ことを特徴とするアクセサリー。
【請求項２】
前記支持溝は、前記外部開口の内周で周方向に間隔をおいて半径方向内方に突出する複数の第１支持壁と、前記外部開口から距離をおいた前記内周壁箇所で前記第１支持壁と周方向に位相をずらし周方向に間隔をおいて半径方向内方に突出する複数の第２支持壁との間で構成されていることを特徴とする請求項１記載のアクセサリー。
【請求項３】
前記リング部材は、前記環板部に設けられ前記装着部ユニット取着用孔の内周壁に係合して前記環板部の回転を阻止する回転阻止部を有することを特徴とする請求項１記載のア
クセサリー。
【請求項４】
前記装着部ユニット取着用孔の内周壁には、半径方向内方に突出する回転止め用凸部が設けられ、前記環板部には、前記環板部が前記装着部ユニット取着用孔に挿入された際に前記回転止め用凸部に係合する凹部が設けられ、前記回転阻止部は前記凹部により構成されていることを特徴とする請求項３記載のアクセサリー。
【請求項５】
前記環板部には、前記内部開口から前記装着部ユニット取着用孔に挿入される際に前記複数の第２支持壁がそれぞれ係合する複数の凹部が設けられ、前記回転阻止部は前記複数の凹部により構成されていることを特徴とする請求項３記載のアクセサリー。
【請求項６】
前記係合部は、前記隣り合う２つの係止壁の互いに向かい合う箇所に係合することを特徴とする請求項１記載のアクセサリー。
【請求項７】
前記リング部材は、ねじにより本体ユニット側ケースに取着されることを特徴とする請求項１記載のアクセサリー。
【請求項８】
前記本体ユニットに、前記アクセサリーを動作させる電子回路が設けられ、前記装着部ユニットに、前記電子機器の電子機器側コネクタに係脱可能で前記電子回路に電源または信号を供給するためのアクセサリー側コネクタが設けられていることを特徴とする請求項１記載のアクセサリー。
【請求項９】
前記軸部は長さを有し、前記複数の係止壁は前記軸部の長さ方向の端部に設けられていることを特徴とする請求項１記載のアクセサリー。
【請求項１０】
前記軸部に回転可能に環板が設けられ、前記複数の係止壁は前記環板の外周に設けられていることを特徴とすることを特徴とする請求項１記載のアクセサリー。
【請求項１１】
前記本体ユニットに、前記アクセサリーを動作させる電子回路が設けられ、前記軸部は長さを有し、前記複数の係止壁は前記軸部の長さ方向の一端に設けられ、前記軸部の長さ方向の他端に、前記電子機器の電子機器側コネクタに係脱可能で前記電子回路に電源または信号を供給するためのアクセサリー側コネクタが設けられていることを特徴とする請求項１記載のアクセサリー。
【発明の詳細な説明】
【技術分野】
【０００１】
本発明は電子機器に取り付けられて使用されるアクセサリーに関する。
【背景技術】
【０００２】
デジタルカメラやビデオカメラなどの撮像装置（以下電子機器という）には、多くの場合、補助光を発光するためのフラッシュライトや音声を収録するためのマイクなどのアクセサリーを装着するための電子機器側コネクタが設けられている。
電子機器に取り付けられるアクセサリーとして、アクセサリーを構成する電子部品を収容する本体ユニットと、本体ユニットに結合され電子機器側コネクタに装着される装着部ユニットとを備えるものがある（特許文献１）。
【特許文献１】特許第３５００８４５号公報
【発明の開示】
【発明が解決しようとする課題】
【０００３】
近年、撮像装置の小型化に伴い上述したようなアクセサリーも小型化が図られており、アクセサリーの本体ユニットと装着部ユニットを構成する部材も小型化されてきている。そのため、これら本体ユニットと装着部ユニットを結合する組み立て作業が難しくなってきており、如何に組み立ての簡素化を図るかが重要となってきている。
本発明はこのような事情に鑑みなされたものであり、その目的は、組み立ての簡素化を図る上で有利なアクセサリーを提供することにある。
【課題を解決するための手段】
【０００４】
上述の目的を達成するため、本発明は、  電子機器に装脱可能に装着されるアクセサリーであって、前記アクセサリーは、本体ユニットと、前記電子機器側に装脱可能に装着される装着部ユニットと、前記装着部ユニットを前記本体ユニットに取着するためのリング部材とを備えている。前記本体ユニットは本体ユニット側ケースを有している。前記本体ユニット側ケースには、前記装着部ユニットを取着するための装着部ユニット取着用孔が延在形成され、前記装着部ユニット取着用孔は前記本体ユニット側ケースの外部に外部開口として開口されると共に前記本体ユニット側ケースの内部に内部開口として開口されている。前記装着部ユニットは、前記外部開口から前記装着部ユニット取着用孔に挿入される軸部と、前記軸部の外周面から周方向に間隔をおいて複数突設された係止壁とを有している。前記装着部ユニット取着用孔の内周壁には、前記係止壁が前記外部開口から前記装着部ユニット取着用孔に挿入され回転されることで前記係止壁が軸方向に移動不能に支持される支持溝が設けられている。前記リング部材は、前記内部開口から前記装着部ユニット取着用孔に回転不能に挿入される環板部と、前記環板部から突設され前記係止壁が前記支持溝により軸方向に移動不能に支持された際に前記係止壁に係合し前記係止壁の回転を阻止する係合部とを有する。
【発明の効果】
【０００５】
本発明によれば、装着部ユニットの係止壁を本体ユニット側ケースの外部開口から挿入して回転させることで係止壁を支持溝で軸方向に移動不能に支持させた状態とし、リング部材の係合部で係止壁の回転を阻止するといった簡単な方法で本体側ユニットと装着部ユニットとを組み立てることができ、アクセサリーの組み立ての簡素化および製造コストの削減を図る上で有利となる。
【発明を実施するための最良の形態】
【０００６】
本体ユニットに装着部ユニットを結合するに際し、装着部ユニットに係止壁を設け、装着部ユニット取着用孔に前記係止壁を支持する支持溝を設け、前記係止壁の回転を規制するリング部材を設けることによって上記目的を実現した。
【実施例１】
【０００７】
次に本発明の実施例１について図面を参照して説明する。
まず、本発明のアクセサリーが装着される電子機器について説明すると、本実施例では電子機器はビデオカメラ１００である。
図１は実施例１のアクセサリー２００とそれが装着されるビデオカメラ１００を前方から見た斜視図である。
図２はビデオカメラ１００に設けられた電子機器側コネクタのシャッタが閉塞位置にある状態を示す斜視図、図３はビデオカメラ１００に設けられた電子機器側コネクタのシャッタが開放位置にある状態を示す斜視図である。
図４（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図５（Ｅ）は図４（Ｄ）のＥ矢視図、（Ｆ）は（Ｅ）のＦＦ線断面図である。
【０００８】
図１に示すように、本実施例においてビデオカメラ１００はビデオカメラであり、外装を構成する扁平な直方体状のケース１０２を有している。なお、本明細書において左右は、ビデオカメラ１００を前方から見た状態でいうものとし、また、光学系の光軸方向で被写体側を前方といい、撮像素子側を後方という。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の後面および左側面には、撮影スタートストップスイッチなどの操作スイッチ（不図示）や種々の設定を行うための設定スイッチ（不図示）が設けられている。
ケース１０２の上面後部には、平面視矩形状の凹部１１２が設けられ、該凹部１１２には、凹部１１２を開閉する蓋１１４が開閉可能に設けられている。凹部１１２の内部には電子機器側コネクタ１０が配設されており、電子機器コネクタ１０の非使用時には、蓋１１４が凹部１１２を閉塞することで電子機器側コネクタ１０が外部に対して覆われ、電子機器コネクタ１０の使用時には、蓋１１４が凹部１１２から開放されることで電子機器側コネクタ１０が外部に露出するように構成されている。
ビデオカメラ１００には、電子機器側コネクタ１０を介して後述するアクセサリー２００が装着される。
【０００９】
まず、電子機器側コネクタ１０について説明する。
図２、図３に示すように、電子機器側コネクタ１０は、合成樹脂材料を用いて一体に型成形された内側部材１２と、鋼板が屈曲形成された外側部材１４とを備え、内側部材１２は外側部材１４の内側下部に嵌合固定されている。
外側部材１４は、底板部１４Ａと、底板部１４Ａの両側から起立する側板部１４Ｂと、側板部１４Ｂの上端から互いに向かい合う方向に屈曲形成された一対の上板部１４Ｃとを備えている。
電子機器側コネクタ１０は、電源用または信号授受用の接片１６と、一対の係止板２０と、対向する一対の係止板２０の間に形成されたガイド溝１８と、各係止板２０の下面に臨むように設けられた空間部２２とを備えている。
一対の係止板２０は一対の上板部１４Ｃにより形成され、同一面上で延在してそれらの縁部が互いに対向している。
ガイド溝１８は、互いに対向する一対の係止板２０の縁部の間に前記対向する方向と直交する方向に延在形成され、その延在方向の両端は開放されている。
互いに対向する係止板２０の縁部には、互いに対向する係止板２０の縁部が離れる方向に窪む第１凹部２００２（または係止板２０が切り欠かれた切り欠き２００２）と、互いに対向する係止板２０の縁部が近づく方向に突出する第１凸部２００４と、互いに対向する係止板２０の縁部が離れる方向に窪む第２凹部２００６と、互いに対向する係止板２０の縁部が近づく方向に突出する第２凸部２００８とがガイド溝１８の延在方向にそれらの順番で設けられている。
各第１凸部２００４の先端縁部と各第２凸部２００８の先端縁部はガイド溝１８の延在方向に平行して直線状に延在している。第１凸部２００４は、図４（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、アクセサリー側コネクタ４０（図６参照）が挿入され前記挿入方向と直交する方向に移動されるスペースであり、係止板２０の下方で両側板部１４Ｂの内側で内側部材１２の上方の空間である。
なお、実施例の説明において便宜上、アクセサリー側コネクタ４０を電子機器側コネクタ１０に装着する際、アクセサリー側コネクタ４０をガイド溝１８を通して空間部２２に挿入する方向を挿入方向といい、アクセサリー側コネクタ４０を空間部２２に挿入したのちアクセサリー側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対のコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。
【００１０】
図３に示すように、電子機器側コネクタ１０の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な中間面１２０７が設けられ、この中間面１２０７は、第１凹部２００２と第１凸部２００４の下方で両側板部１４Ｂに沿った内側部材１２の箇所に延在している。
本実施例では、アクセサリー側コネクタ４０が空間部２２に挿入される際に、アクセサリー側コネクタ４０の先端面５００６（図６参照）が中間面１２０７に当て付けられることで、空間部２２内においてアクセサリー側コネクタ４０の前記挿入方向の位置が規制されるように、言い換えると位置決めがなされるように構成されている。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。
【００１１】
電子機器側コネクタ１０の複数の接片１６について詳細に説明すると、図５（Ｆ）に示すように、ケースには、細幅で細長状の金属板材からなる帯板状の複数のリード線１５が設けられ、各接片１６はそれらリード線１５の部分によって構成されている。
複数のリード線１５の一端が開口を介して接片取り付け面１２０６の上方に露出し接片１６として配置され、図４（Ａ）に示すように、各接片１６は長手方向が前記装着方向と一致して直線状に延在している。
電子機器側コネクタ１０の複数の接片１６は、図４（Ａ）に示すように、前記装着方向における端部がガイド溝１８の幅方向において直線上に位置するように並べられ、複数の接片１６のうちグランド電位に接続されるグランド接片１６０２は、他の信号接片１６０４に比較して長手方向の寸法が大きく形成されており、グランド接片１６０２の前記取り外し方向における端部は他の信号接片１６０４の端部よりも突出している。
このような各接片１６０２、１６０４のレイアウト（配置）は、アクセサリー側コネクタ４０を電子機器側コネクタ１０に装着する際に、図６に示すように、アクセサリー側コネクタ４０の接片４８のうちグランド電位に接続されるグランド接片４８０２が、他の信号接片４８０４に先行して、電子機器側コネクタ１０のグランド接片１６０２に接続させ、アクセサリー２００とビデオカメラ１００の基準電位を最初にグランド電位にさせることで静電ノイズの影響を受けにくくするとともに、アクセサリーおよび電子機器の動作の安定化を図る目的でなされている。
また、本実施例では、２つのグランド接片１６０２が複数の接片１６のガイド溝１８の幅方向の両側に設けられている。
このような各接片１６０２、１６０４のレイアウト（配置）は、アクセサリー側コネクタ４０がガイド溝１８の延在方向に対して傾斜して挿入された場合であっても、幅方向両側のグランド接片１６０２の何れか一方が、これらグランド接片１６０２に対応するアクセサリー側コネクタ４０のグランド接片４８０２（図６参照）の何れかに接触することで、アクセサリー２００とビデオカメラ１００の基準電位をより確実にグランド電位にさせ、静電ノイズの影響を受けにくくするとともに、アクセサリーおよび電子機器の動作のより一層の安定化を図る目的でなされている。
また、図５（Ｆ）に示すように、各接片１６を除くリード線１５部分は内側部材１２内部に配設され、リード線１５の他端は、内側部材１２の前記装着方向の端部に開口された孔部１２０８内に導かれている。
図４（Ｃ）、図５（Ｅ）、（Ｆ）に示すように、内側部材１２の底部および外側部材１４の底板部１４Ａには、孔部１２０８に通じるように欠部１４０２が設けられ、図１２に示すように、ビデオカメラ１００に設けられたフレキシブル基板１５０の接続端１５２が欠部１４０２を介して孔部１２０８に挿入され孔部１２０８内で接続端１５２が各接片１６の他端に電気的に接続されるとともに、各他端の弾性により、接続端１５２が各他端と孔部１２０８を構成する壁面との間に挟持される。
これにより、フレキシブル基板１５０を介してビデオカメラ１００内部の電子回路から各接片１６にアクセサリー２００を駆動するための電気信号が供給され、あるいは、各接片１６からビデオカメラ１００内部の電子回路にアクセサリー２００からの電気信号が供給されるように構成されている。
この際、図１２に示すように、外側部材１４の底板部１４Ａがビデオカメラ１００の凹部１１２の底面に取着される場合、外側部材１４に欠部１４０２が設けられているため、フレキシブル基板１５０を欠部１４０２内で屈曲させてビデオカメラ１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図５（Ｆ）において符号１２１１は外側部材１４の底面に突設された位置決め用のボスであり、このボス１２１１をビデオカメラ１００の凹部１１２（図１参照）の底面に設けられた孔に係合させることでアクセサリー側コネクタ４０の位置決めを行うようになっている。
【００１２】
本実施例では、図３に示すように、傾斜面１２０４は、アース電位に接続される接片１６０２に対応する傾斜面１２０４Ａと、他の接片１６０４に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａと、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はアクセサリー側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、アクセサリー側コネクタ４０を電子機器側コネクタ１０に挿入して前記装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、アクセサリー側コネクタ４０の接片４８の滑走面として機能する。
【００１３】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２、図１１）に付勢するスプリング（不図示）が設けられ、カバー２６は、前記装着方向への移動時にアクセサリー側コネクタ４０の軸部５０の箇所である起立面６０（図６参照）に当接して軸部５０により接片１６を開放する開放位置（図３、図１２）に移動されるように構成されている。
また、前記取り外し方向における中間面１２０７の端部には、ガイド溝１８の幅方向に沿って当接面１２１０が延在形成されている。
本実施例では、アクセサリー側コネクタ４０が空間部２２に挿入される際に、アクセサリー側コネクタ４０の起立面６０（図６参照）が当接面１２１０に当て付けられることで、空間部２２内においてアクセサリー側コネクタ４０の前記装着方向の位置が規制されるように、言い換えると位置決めがなされるように構成されている。
【００１４】
図２、図３に示すように、内側部材１２の底面１２０２におけるガイド溝１８の幅方向両側箇所には、コネクタ側ガイド面２４に沿って延在する凹部１２２０が設けられ、アクセサリー側コネクタ４０の挿入時にこの凹部１２２０にガイド壁５８（図６参照）の先端が収容される。
凹部１２２０の前記取り外し方向の端部には凹部１２２０の前記取り外し方向の端部を閉塞する壁部１２２２が設けられ、この壁部１２２０の上面は底面１２０２と同一面上に位置している。
これにより、アクセサリー側コネクタ４０の軸部５０（図６参照）を電子機器側コネクタ１０の前記取り外し方向に臨む箇所から前記装着方向に挿入しようとしても、軸部５０のガイド壁５８が壁部１２２２に当接して前記装着方向への挿入が禁止されるように構成されている。
したがって、アクセサリー側コネクタ４０の軸部５０を電子機器側コネクタ１０の前記取り外し方向に臨む箇所から前記装着方向に挿入するといった誤った操作を禁止することができるように構成されている。
これにより、アクセサリー側コネクタ４０を電子機器側コネクタ１０に装着する際に、アクセサリー側コネクタ４０をガイド溝１８の間から空間部２２に挿入するという操作のみを許容することができるので、アクセサリー２００をビデオカメラ１００に装着する際の操作方法を１つに限定でき使い勝手を向上させることができるように構成されている。
【００１５】
次にアクセサリー２００について説明する。
図６はアクセサリーに設けられたアクセサリー側コネクタの斜視図、図７はアクセサリー側コネクタの平面図、図８は図６のＡ矢視図、図９は図７のＢ矢視図、図１０は図８のＣＣ線断面図である。
図１１は電子機器側コネクタにアクセサリー側コネクタが挿入された状態を示す断面図、図１２は電子機器側コネクタにアクセサリー側コネクタが装着された状態を示す断面図である。
図１３は電子機器側コネクタの上方にアクセサリー側コネクタを位置させた状態を示す斜視図、図１４は図１３のＡ矢視図、図１５は電子機器側コネクタにアクセサリー側コネクタが装着された状態を示す斜視図、図１６は図１５のＡ矢視図である。
図１７はアクセサリー側コネクタ４０の構成を示す説明図であり、図１８（Ａ）は中継基板の一方の面を示す平面図、（Ｂ）は中継基板の他方の面を示す平面図である。
図１９はアクセサリー２００の分解斜視図、図２０は装着ユニットの斜視図、図２１はアクセサリー２００の組み立ての説明図である。
図２２は本体ユニット側ケースの正面図、図２３は図２２のＡ矢視図、図２４は図２２のＢ矢視図、図２５は図２２のＣ矢視図である。
図２６は図２２のＤＤ線断面図、図２７は図２３のＦＦ線断面図、図２８は図２２のＥＥ線断面図である。
図２９（Ａ）はリング部材の平面図、（Ｂ）は（Ａ）のＢ矢視図、（Ｃ）は（Ａ）のＣ矢視図である。
図３０（Ｄ）は図２９（Ｂ）のＤ矢視図、（Ｅ）は（Ｄ）のＥ矢視図、（Ｆ）は（Ｄ）のＦ矢視図、（Ｇ）は（Ｄ）のＧＧ線断面図である。
図３１、図３２、図３３は本体ユニットと装着部ユニットとの取り付け説明図である。
【００１６】
図１に示すように、本実施例においてアクセサリー２００はビデオカメラ１００による撮影時に被写体に向けて補助光を照射する照明装置である。
図１９、図２０に示すように、アクセサリー２００は、本体ユニット３００と、ビデオカメラ１００側に装脱可能に装着される装着部ユニット４００と、装着部ユニット４００を本体ユニット３００に取着するためのリング部材５００とを備えている。
本体ユニット３００は本体ユニット側ケース３０２を有し、本体ユニット側ケース３０２には、アクセサリー本体を構成する部品が収容されている。本実施例では、アクセサリー本体を構成する部品は、撮影時に被写体に向けて補助光を照射するランプ３１０およびフラッシュ３１２、ランプ３１０およびフラッシュ３１２を作動させる電子回路であり、電子回路は基板３１４に設けられている。
本体ユニット側ケース３０２は、前部ケース３０４、中間ケース３０６、後部ケース３０８を有し、それぞれ非導電性の合成樹脂材料で形成されている。
中間ケース３０６にランプ３１０およびフラッシュ３１２が収容され、前部ケース３０４に補助光を前方に向けて照射するための窓３０５が形成され、基板３１４は中間ケース３０６と後部ケース３０８とで囲まれる空間に配置されている。
【００１７】
図１９、図２１、図２５〜図２８に示すように、後部ケース３０８の下面には、装着部ユニット４００を取着するための装着部ユニット取着用孔３２０が延在形成されている。
装着部ユニット取着用孔３２０は、本体ユニット側ケース３０２の下面に外部開口３２２として開口されると共に本体ユニット側ケース３０２の内部に内部開口３２４として開口されている。
装着部ユニット取着用孔３２０の内周壁３２６には、第１支持壁３２８と、第２支持壁３３０と、回転止め用凸部３３２とが設けられている。
第１支持壁３２８は、外部開口３２２の内周で周方向に間隔をおいて半径方向内方に突出して４個設けられている。
第２支持壁３３０は、外部開口３２２から距離をおいた箇所で第１支持壁３２８と周方向に位相をずらし周方向に間隔をおいて半径方向内方に突出して２個設けられている。
本実施例では、これら４個の第１支持壁３２８と、２個の第２支持壁３３０との間で特許請求の範囲の支持溝３３１が構成されている。
回転止め用凸部３３２は、４個の第１支持壁３２８のうち周方向において隣り合う２つの第１支持壁３２８の間でかつ外部開口３２２から前記距離と同じ値かまたは前記距離よりも大きい値の距離をおいた箇所で半径方向内方に突出して設けられている。
【００１８】
図１９、図２０、図２１に示すように、装着部ユニット４００は、軸部５０と、係止壁４０２とを有し、軸部５０と係止壁４０２は共に非導電性の合成樹脂材料で形成されている。
軸部５０は、長さを有し外部開口３２２から装着部ユニット取着用孔３２０に挿入されるように形成されている。
本実施例では、環板４０１が、軸部５０の長さ方向の一端に軸部５０の軸心を中心として回転可能に取着されている。
係止壁４０２は、環板４０１の外周に軸部５０の周方向に間隔をおいて軸部５０の半径方向外方に４個突設形成され、４個の係止壁４０２の外周縁は軸部５０の軸心を中心とした単一の仮想の円周上を延在している。
そして、４個の係止壁４０２は、外部開口３２２を通り軸部５０と共に装着部ユニット取着用孔３２０に挿入され、複数の第１支持壁３２８の間から支持溝３３１に至り回転された際に第１支持壁３２８と第２支持壁３３０とにより軸部５０２の長さ方向において挟まれ、軸方向に移動不能に支持されるように構成されている。
なお、本実施例では、環板４０１と軸部５０との間には、所定の角度毎に、例えば、１８０度毎に環板４０１の回転位置が係止されユーザーにクリック感を与える従来公知のクリック機構が設けられている。
【００１９】
また、本実施例では、軸部５０の長さ方向の他端に、ビデオカメラ１００の電子機器側コネクタ１０に係脱可能で前記電子回路に電源または信号を供給するためのアクセサリー側コネクタ４０が設けられている。
軸部５０の長さ方向の他端の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
軸部５０の長さ方向の他端の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが互いに間隔をおいて突出形成されている。
本実施例では、第１、第２係止片５００２、５００４の前記装着方向の延在長さは軸部５０の前記装着方向の寸法の約１／３程度に形成されている。
【００２０】
図８〜図１０に示すように、軸部５０の長さ方向の他端の両側の側面で第１係止片５００２と第２係止片５００４との間の箇所にはばね片５２がそれぞれ湾曲状に突出しており、ばね片５２は薄板状のばね鋼板が軸部５０の内部に組み込まれることで配設されている。
ばね片５２は、第１係止片５００２および第２係止片５００４よりも軸部５０の基部寄りに変位した箇所に設けられ、ばね片５２は、第１係止片５００２が第１凹部２００２を通って空間部２２に位置し第２係止片５００４が第２凹部２００４を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００８内に位置し、アクセサリー２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にアクセサリー２００を仮止めするように構成されている。
【００２１】
また、軸部５０の長さ方向の他端には先端面５００６が設けられ、先端面５００６は軸部５０が空間部２２に挿入される際に電子機器側コネクタ１０の中間面１２０７に当接し、空間部２２内においてアクセサリー側コネクタ４０の前記挿入方向の位置が規制されるように、言い換えると位置決めがなされるように構成されている。
本実施例では、両側の第１係止片５００２の基端から互いに対向するように一対のガイド壁５８が軸部５０の長手方向（前記挿入方向）に突出形成され、一対のガイド壁５８の外側面は一対のコネクタ側ガイド面２４に摺動可能なアクセサリーガイド面５４として形成され、アクセサリーガイド面５４がコネクタ側ガイド面２４に接触することで、空間部２２内におけるガイド溝１８の幅方向におけるアクセサリー側コネクタ４０の位置決めが行われる。
【００２２】
また、本実施例では、アクセサリー側コネクタ４０が電子機器側コネクタ１０の空間部２２に挿入される際に、空間部２２に対する軸部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されている。
軸部５０の長さ方向の他端で一対のガイド壁５８の基部の間の箇所に先端面５００２と平行する平坦な接片取り付け面５６が設けられ、接片取り付け面５６は、先端面５００６よりも先端方向に変位しており、接片取り付け面５６と先端面５００６との間にはそれらの面５６、５００６に直交する起立面６０が形成されている。
アクセサリー側コネクタ４０の複数の接片４８は接片取り付け面５６に設けられ、一対のガイド壁５８方向に互いに間隔を置いて直線状に並べられて配置されている。
起立面６０は、アクセサリー側コネクタ４０が電子機器側コネクタ１０の空間部２２に挿入され前記装着方向へ移動される際にカバー２６の端面に当接するように構成されている。
また、アクセサリー側コネクタ４０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、アクセサリー側コネクタ４０の複数の接片４８と電子機器側コネクタ１０の複数の接片１６が接触するように構成されている。
そして、ビデオカメラ１００からこれら接片１６、４８を介してアクセサリー２００内部の電子回路にアクセサリー２００を駆動するための電気信号が供給され、あるいは、これら接片１６、４８を介してアクセサリー２００内部の電子回路からの電気信号がビデオカメラ１００に供給されるように構成されている。
【００２３】
軸部５０の長さ方向の他端がガイド溝１８に挿入された状態で係止板２０の上方の軸部５０箇所に回転可能に環状の操作リング４４が設けられている。本実施例では、軸部５０に溝が設けられ、この溝に操作リング４４は回転可能に配設されている。
操作リング４４の回転操作により、軸部５０の両側で軸部５０の長さ方向に移動する、すなわち上下方向に移動する締め付けブロック７０が設けられている。
締め付けブロック７０は、軸部５０の延在方向と平行に延在する縦板部７００２と、縦板部７００２の下端に設けられ第１係止片５００２および第２係止片５００４が第１凸部２００４と第２凸部２００８の下面に当接した状態で第１凸部２００４と第２凸部２００８の上面に当接し第１係止片５００２および第２係止片５００４と協働して第１凸部２００４と第２凸部２００８を締め付け固定する締め付け部７００４と、第１凸部２００４と第２凸部２００８の間の第２凹部２００６に挿入され軸部５０のガイド溝１８の延在方向に沿った移動を阻止する移動阻止部７００６とを有している。
締め付け部７００４はガイド溝１８の延在方向に長辺を有する直方体状を呈し、縦板部７００２よりも断面が大きい寸法で形成されている。
移動阻止部７００６は締め付け部７００４の下面から直方体状に膨出形成され、第１凸部２００４と第２凸部２００８の間に挿入される寸法、すなわち第２凹部２００６に挿入される寸法で形成されている。
なお、締め付けブロック７０の配設は、例えば軸部５０に設けた凹部に縦板部７００２を該軸部５０の長手方向にのみ移動可能に挿入し、締め付けブロック７０の内周の雌ねじを縦板部７００２の外面の雄ねじに螺合させるなど、従来公知の様々な機構、構造が用いられる。
【００２４】
図２１、図２９、図３０に示すように、リング部材５００は、環板部５０２と、係合部５０６とを有している。
環板部５０２は、内部開口３２４から装着部ユニット取着用孔３２０に回転不能に挿入されるように形成されている。環板部５０２は装着部ユニット取着用孔３２０に挿入される外径で形成され、中央に貫通孔５０３が形成されている。
本実施例では、環板部５０２に装着部ユニット取着用孔３２０の内周壁３２６に係合して環板部５０２の回転を阻止する回転阻止部５０４が設けられ、この回転阻止部５０４により環板部５０２が装着部ユニット取着用孔３２０に回転不能に挿入されるように形成されている。
本実施例では、環板部５０２の一方の面５０８（装着部ユニット取着用孔３２０に挿入される側の面）に、内部開口３２４から装着部ユニット取着用孔３２０に挿入された際に２個の第２支持壁３３０がそれぞれ係合する２個の凹部５１０が設けられ、これら２個の凹部５１０が回転阻止部５０４を構成している。
すなわち、環板部５０２を内部開口３２４から装着部ユニット取着用孔３２０に挿入すると、２個の凹部５１０と２個の第２支持壁３３０がそれぞれ係合し、環板部５０２は２個の第２支持壁３３０上に回転不能に載置されることになる。
本実施例では、このように環板部５０２が２個の第２支持壁３３０上に回転不能に載置された状態で、環板部５０２の他方の面側は後部ケース３０８の内部に露出しており、この露出する部分にボス部５１８が設けられ、ボス部５１８に環板部５０２の半径方向に延在するねじ孔５２０が形成されている。このねじ孔５２０は、後述するように中間ケース３０６を後部ケース３０８に固定するためのものである。
係合部５０６は、環板部５０２の一方の面５０８（装着部ユニット取着用孔３２０に挿入される側の面）から突設されている。そして、軸部５０が外部開口３２２から装着部ユニット取着用孔３２０に挿入され回転されて係止壁４０２が支持溝３３１により軸部５０の長さ方向に移動不能に支持され、環板部５０２が装着部ユニット取着用孔３２０に挿入された際に、係合部５０６は、隣り合う２つの係止壁４０２の互いに向かい合う箇所に係合し係止壁４０２の回転を阻止するように形成されている。
本実施例では、係合部５０６は、周方向に間隔をおいた一対の脚片５０６Ａにより構成されている。
そして、それら脚片５０６Ａの間に凹部５０６Ｂが形成され、環板部５０２が装着部ユニット取着用孔３２０に挿入された際に、この凹部５０６Ｂに回転止め用凸部３３２が係合し、環板部５０２の回転を阻止している。したがって、この凹部５０６Ｂも回転阻止部５０４を構成している。
【００２５】
次に電子機器側コネクタ１０およびアクセサリー側コネクタ４０の使用方法について説明する。
ビデオカメラ１００にアクセサリー２００を装着する場合には、蓋１１４を取り外して電子機器側コネクタ１０をケース１０２の外部に露出させる。
そして、図１３、図１４に示すように、アクセサリー側コネクタ４０の先端面５００６を電子機器側コネクタ１０の中間面１２０７に臨ませ、アクセサリー側コネクタ４０の第１係止片５００２を電子機器側コネクタ１０の第１凹部２００２に臨ませ、かつ、アクセサリー側コネクタ４０の第２係止片５００４を電子機器側コネクタ１０の第２凹部２００６に臨ませ、この状態でアクセサリー側コネクタ４０の軸部５０を電子機器側コネクタ１０のガイド溝１８の間に挿入し、これによりアクセサリー側コネクタ４０の両側のアクセサリーガイド面５４がコネクタ側ガイド面２４に接触し、空間部２２内におけるガイド溝１８の幅方向におけるアクセサリー側コネクタ４０の位置決めが行われる。
このようなアクセサリー側コネクタ４０の挿入により、図１１に示すように、アクセサリー側コネクタ４０の第１係止片５００２は第１凹部２００２を通って空間部２２に位置し、第２係止片５００４は第２凹部２００６を通って空間部２２に位置し、また、アクセサリー側コネクタ４０の先端面５００６が電子機器側コネクタ１０の中間面１２０７に当接し、アクセサリー側コネクタ４０のばね片５２が第１凹部２００２内に位置する。
【００２６】
次いで、図１２に示すように、軸部５０を前記装着方向に移動させると、ばね片５２は、軸部５０の前記装着方向への移動に伴い第１凸部２００４の先端に弾接して軸部５０の側面に僅かに没入され、第１凸部２００４の先端に弾接しつつ軸部５０と一体に移動する。
やがて、第１係止片５００２および第２係止片５００４が第１凸部２００４と第２凸部２００８の下面に位置した状態でばね片５２は第２凹部２００６内に突出し、アクセサリー側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、軸部５０の前記装着方向への移動により、アクセサリー側コネクタ４０の起立面６０により電子機器側コネクタ１０のカバー２６が前記開放位置に移動されるとともに、アクセサリー側コネクタ４０の各接片４８が傾斜面１２０４および接片取り付け面１２０６に摺接したのち電子機器側コネクタ１０の各接片１６にそれぞれ接続され電気的に導通する。
次いで、操作リング４４を回動させると、締め付けブロック７０が下降し、移動阻止部７００６が第１凸部２００４と第２凸部２００８の間の第１凹部２００６に挿入され、軸部５０のガイド溝１８の延在方向に沿った移動が阻止される。
また、締め付けブロック７０の下降に伴い、図１５、図１６に示すように、第１係止片５００２および第２係止片５００４が第１凸部２００４と第２凸部２００８の下面に当接するとともに、締め付け部７００４の下面が第１凸部２００４と第２凸部２００８の上面に当接し、第１係止片５００２および第２係止片５００４と協働して第１凸部２００４と第２凸部２００８を締め付け固定し、アクセサリー２００がビデオカメラ１００に装着される。
これによりアクセサリー２００による撮影と、ビデオカメラ１００による撮影とを同時に行うことが可能となる。なお、アクセサリー２００で生成された撮像信号はアクセサリー側コネクタ４０から電子機器側コネクタ１０を介してビデオカメラ１００に伝達され、ビデオカメラ１００では伝達された前記撮像信号に対して必要な信号処理を行う。
【００２７】
ビデオカメラ１００からアクセサリー２００を取り外す場合には、操作リング４４を回動させることで、締め付けブロック７０を上昇させ、移動阻止部７００６を第１凹部２００６から上方に抜き出し、また、締め付け部７００４を上昇させ、第１係止片５００２および第２係止片５００４との協働による第１凸部２００４と第２凸部２００８の締め付け固定を解除する。
次いでアクセサリー側コネクタ４０の軸部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００４の下方に位置し、ばね片５２は、第２凹部から第１凸部の先端に弾接して軸部５０の側面に僅かに没入され、第１凸部２００４の先端に弾接しつつ軸部５０と一体に移動し、第１凹部２００２内に突出する。軸部５０の前記取り出し方向への移動により、アクセサリー側コネクタ４０の各接片４８と電子機器側コネクタ１０の各接片１６とが離間され電気的な導通が解除され、カバー２６は開放位置から閉塞位置に復帰される。
この状態でアクセサリー側コネクタ４０の軸部５０を前記取り出し方向に動かすと、アクセサリー側コネクタ４０の第１係止片５００２は第１凹部２００２を通り、第２係止片５００４は第２凹部２００６を通って空間部２２から上方に移動され、アクセサリー側コネクタ４０の軸部５０が電子機器側コネクタ１０から離間され、アクセサリー２００がビデオカメラ１００から取り外される。
【００２８】
このような構成によれば、電子機器側コネクタ１０にアクセサリー側コネクタ４０を装着する際に、アクセサリー側コネクタ４０の第１係止片５００２は第１凹部２００２を通り、第２係止片５００４は第２凹部２００６を通って空間部２２に位置させたのち、アクセサリー側コネクタ４０の軸部５０を前記装着方向に動かすことで第１係止片５００２を第１凸部２００４の下面に位置させ、第２係止片５００４を第２凸部２００８の下面に位置させた状態で電子機器側コネクタ１０の複数の接片１６にアクセサリー側コネクタ４０の複数の接片４８が接触する。
ここで、アクセサリー側コネクタ４０を電子機器側コネクタ１０に装着するために必要なスペースの前記装着方向の寸法Ｓを考えると、本実施例では、第１、第２係止片５００２、５００４の前記装着方向の延在長さが軸部５０の前記装着方向の寸法の約１／３であるため、前記寸法Ｓは前記装着方向に沿ったアクセサリー側コネクタ４０の寸法（軸部５０の寸法）Ｌと、第１、第２係止片５００２、５００４の前記装着方向の寸法約Ｌ／３との和、すなわち寸法Ｓは約（Ｌ＋Ｌ／３）で済むことになる。
したがって、アクセサリー側コネクタ４０を電子機器側コネクタ１０に装着するために必要なスペースを、前記装着方向に沿ったアクセサリー側コネクタ４０の寸法と、第２係止片５００４の前記装着方向の寸法との和で済むことになる。
これに対して従来のようにアクセサリー側コネクタ４０を電子機器側コネクタ１０の輪郭の外側から装着する場合には、前記寸法Ｓは前記装着方向に沿ったアクセサリー側コネクタ４０の寸法Ｌの２倍である２Ｌ必要となる。
したがって、従来に比較して電子機器側コネクタ１０の周囲にアクセサリー側コネクタ４０を装着させるための広いスペースを確保する必要がなく、ビデオカメラ１００およびアクセサリー２００の小型化を図る上で、あるいは、ビデオカメラ１００およびアクセサリー２００のデザイン性を向上させる上で極めて有利となる。
また、操作リング４４を回動させることで、締め付け部７００４が第１凸部２００４と第２凸部２００８の上面に当接し第１係止片５００２および第２係止片５００４と協働して第１凸部２００４と第２凸部２００８を締め付け固定するとともに、移動阻止部７００６が第１凸部２００４と第２凸部２００８の間の第１凹部２００６に挿入され軸部５０のガイド溝１８の延在方向に沿った移動を阻止するので、アクセサリー側コネクタ４０を電子機器側コネクタ１０に対して強固に装着することができる。
したがって、ガイド溝１８の延在方向に沿った外力がアクセサリー側コネクタ４０に加わった場合に、アクセサリー側コネクタ４０が電子機器側コネクタ１０から脱落することを確実に防止する上で有利となる。
【００２９】
また、アクセサリー側コネクタ４０の第１支持壁２００４に係止し第１支持壁２００４により挟持される電子機器側コネクタ１０の第１凸部２００４を、すなわちアクセサリー側コネクタ４０を固定するための第１凸部２００４を、アクセサリー側コネクタ４０のばね片５２が弾接することでクリック感を発生させる部材として共用したので、部品点数の増加を抑制できコストダウンを図る上で有利となる。
また、アクセサリー側コネクタ４０の接片４８と電子機器側コネクタ１０の接片１６とが接続した状態で、ばね片５２が第１凸部２００４の端部に弾接するようにし、アクセサリー側コネクタ４０の仮止めを行うようにしたので、アクセサリー側コネクタ４０を固定するための第１凸部２００４を、アクセサリー側コネクタ４０の仮止めを行う部材として共用でき部品点数の増加を抑制できコストダウンを図る上で有利となる。
【００３０】
次にアクセサリー側コネクタ４０について説明する。
図１７に示すように、アクセサリー側コネクタ４０は、軸部５０と、複数の接片４８とで構成され、各接片４８は軸部５０に複数のリード線４９の部分が露出されて構成されている。
なお、本実施例では、外装を構成する直方体状のケース２０２が特許請求の範囲のケース本体に相当し、軸部５０が特許請求の範囲のコネクタケースに相当している。
詳細に説明すると、各リード線４９は、細幅で細長状の金属板材からなる帯板で構成され、各リード線４９の部分は軸部５０に埋め込まれ（挟持され）ている。
各接片４８は、各リード線４９の一端の屈曲部４９Ａが接片取り付け面５６から下方に（軸部５０の延在方向または前記挿入方向に）突出することで構成され、各接片４８が配置される軸部５０の箇所には、それら接片４８が弾性変形できるように空間部５７が設けられている。
アクセサリー側コネクタ４０の複数の接片４８は接片取り付け面５６に設けられ、一対のガイド壁５８方向に互いに間隔を置いて直線状に並べられて配置されている。
各接片４８は、接片取り付け面５６上においてそれぞれ所定間隔をおき平行して直線上に延在し、列を構成している。
各接片４８は、図６、図７に示すように、グランド電位に接続されるグランド接片４８０２と、他の信号接片４８０４とを含み、グランド接片４８０２は電子機器側コネクタ１０のグランド接片１６０２に接続され、他の信号接片４８０４は電子機器側コネクタ１０の他の信号接片１６０２に接続されるように構成されている。
【００３１】
図１７に示すように、軸部５０の上部には、上方に臨んで開口された収容空間５０２０が形成され、収容空間５０２０の底部には中継基板用挿入溝５０２２が収容空間５０２０に臨ませて形成されている。
各リード線４９の他端４９Ｂは、軸部５０部分に設けられた中継基板用挿入溝５０２０の側面箇所に露出するように設けられている。
【００３２】
軸部５０の内部には、図１７に示すように、中継基板８０が設けられ、中継基板８０には中継基板側コネクタ８４が実装され、中継基板側コネクタ８４は、軸部５０の長さ方向の一端に露出するように設けられている。
本実施例では、中継基板８０は厚さ方向の両端に位置する第１面８００２と第２面８００４を有し、配線パターン８２はそれら第１面８００２と第２面８００４の双方に設けられている。
また、中継基板側コネクタ８４もそれらの配線パターン８２に接続されて第１面８００２と第２面８００４の双方に設けられている。
軸部５０の内部には、前記電子回路に線材９２を介して接続された電子回路側コネクタ９０が設けられ、電子回路側コネクタ９０と中継基板側コネクタ８４とが軸部５０内で接続されることで前記電子回路とアクセサリー側コネクタ４０とが電気的に接続されるように構成されている。
【００３３】
具体的に説明すると、中継基板８０は、図１８に示すように、ほぼ長方形状に形成されている。
中継基板８０は、２つの長辺のうちの一方の長辺の両端箇所が切り欠かれることで形成された幅が狭い第１領域８００６と、他方の長辺に設けられ第１領域８００６よりも幅が広い第２領域８００８とを有している。
中継基板８０は、第１領域８００６が中継基板用挿入溝５０に挿入されて配置されている。
図１８（Ａ）に示すように、中継基板８０の第１面８００２の第１領域８００６には、前記一方の長辺と直交する方向に延在する帯状の第１接続用接片８２０２が複数個、本実施例では１６個形成されている。
中継基板８０の各第１接続用接片８２０２は、前記一方の長辺の延在方向に接片４８の間隔と同じ間隔をおいて形成され、第１領域８００６が中継基板用挿入溝５０に挿入された状態で、各接片４８に電気的に接続されるように構成されている。
図１８（Ａ）に示すように、中継基板８０の第１面８００２の第２領域８００６には、第１接続用接片８２０２に導電パターン８２０１を介して接続され前記他方の長辺と直交する方向に延在する帯状の第２接続用接片８２０６が複数個、本実施例では１０個、前記他方の長辺の延在方向に第１接続用接片８２０２の間隔よりも広い間隔をおいて形成されている。
中継基板８０の第２領域８００８には中継基板側コネクタ８４が半田付けなどによって取着され、第２接続用接片８２０４と中継基板側コネクタ８４が電気的に接続されている。
図１８（Ｂ）に示すように、中継基板８０の第２面８００４の第２領域８００６にも、第２面８００４に設けられた導電パターン８２０１およびスルーホール８２０３を介して第１接続用接片８２０２に接続され前記他方の長辺と直交する方向に延在する帯状の第３接続用接片８２０８が複数個、本実施例では１０個、前記他方の長辺の延在方向に第１接続用接片８２０２の間隔よりも広い間隔をおいて形成され、本実施例では、第２接続用接片８２０６と同じ間隔をおいて形成されている。
中継基板８０の各第３接続用接片８２０６には中継基板側コネクタ８４が半田付けなどによって取着され、第３接続用接片８２０６と中継基板側コネクタ８４が電気的に接続されている。
本実施例では、配線パターン８２は、第１、第２、第３接続用接片８２０２、８２０４、８２０６、導電パターン８２０１およびスルーホール８２０３によって構成されている。
【００３４】
このような構成によれば、中継基板側コネクタ８４が設けられる中継基板８０の箇所は、アクセサリー２００の接片４８から離れているため、中継基板側コネクタ８４が占有する中継基板８０のスペースを広く確保することができ、限られたスペースに多数の接片４８を設けた場合であっても、アクセサリー２００の電子回路と接片４８との接続を確実に行うことができ、アクセサリー２００とビデオカメラ１００との間で授受される信号数の増大に対応する上で有利となる。
また、本実施例では、アクセサリー２００が照明装置である場合について説明したが、例えば、アクセサリー２００として、照明装置の他に小型カメラ、あるいは、マイクロフォンがある場合に、アクセサリー側コネクタ４０を共通化することができる。例えば、中継基板８０に設けた２つの中継基板側コネクタ８４のうち、一方を照明装置、小型カメラ、マイクロフォンのうちの何れか１つに対応した信号を割り当て、中継基板８０に設けた２つの中継基板側コネクタ８４のうち、他方を照明装置、小型カメラ、マイクロフォンのうちの残りの１つに対応した信号を割り当てれば、中継基板８０を、複数種類のアクセサリー２００に対応可能となる。このように構成すればアクセサリー側コネクタ４０を共通化できるので、部品コストや組み立てコストを削減する上で有利となる。
なお、２つの中継基板側コネクタ８４のうち使用しない方の中継基板側コネクタ８４を省略してもよいことは無論である。
また、アクセサリー２００の電子回路とビデオカメラ１００の間で授受される信号数がさらに増大した場合、例えば、アクセサリー２００が照明装置とマイクロフォンの２つの機能を有する場合には、アクセサリー２００の電子回路とビデオカメラ１００の間で授受される信号数に対応して２つの中継基板側コネクタ８４を中継基板８０に設けるとともに、アクセサリー側コネクタ９０を２つ設け、これら２つの中継基板側コネクタ８４とアクセサリー側コネクタ９０とをそれぞれ接続するようにしてもよい。
【００３５】
次に、アクセサリー２００の電子回路とビデオカメラ１００の間で授受される信号について具体的に説明する。
アクセサリー２００が上述したように照明装置であった場合には、電源（ＵＮＲＥＧ）、グランド（ＧＮＤ）、ビデオカメラ１００からアクセサリー２００の識別を行うための専用の２つの抵抗接続端子（ＩＤ１）、（ＩＤ２）、フラッシュを同期点灯させる信号（Ｓｔｒｏｂｏ）、フラッシュのレベル（光量）の設定を行うための双方向シリアル信号（Ｓｉｒｉａｌ０）、ＵＳＢやＩＥＥＥ１３９４といったシリアル高速通信用のデータ信号に割り当て可能な信号（Ｓｉｒｉａｌ１）、（Ｓｉｒｉａｌ２）の合計８種類の信号が存在している。
また、アクセサリー２００が４チャンネル用の音声を収音するマイクロフォンであった場合には、電源（ＵＮＲＥＧ）、グランド（ＧＮＤ）、ビデオカメラ１００からアクセサリー２００の識別を行うための専用の２つの抵抗接続端子（ＩＤ１）、（ＩＤ２）、左前方の音声信号（ＭｉｃＦＬ）、右前方の音声信号（ＭｉｃＦＲ）、左後方の音声信号（ＭｉｃＲＬ）、左右方の音声信号（ＭｉｃＲＲ）、マイク専用のグランド（ＧＮＤ）、ビデオカメラ１００からアクセサリー２００を制御するための制御信号（Ｓｈｏｅ  Ｃｏｎｔ）の合計１０種類の信号が存在している。
したがって、アクセサリー側コネクタ４０を照明装置とマイクロフォンとで共通化する場合には、合計１８種類の信号を伝達する必要があるが、電源（ＵＮＲＥＧ）、グランド（ＧＮＤ）は共通に使用できることから、合計１６個の信号を伝達すればよく、第１接続用接片８２０２は１６個あれば足りることになる。
【００３６】
また、アクセサリー側コネクタ４０を照明装置とマイクロフォンとで共通化する場合、本実施例では、中継基板８０の第２接続用接片８２０４あるいは第３接続用接片８２０６が１０個設けられており、アクセサリー２００が照明装置であれば伝達すべき信号は８種類のみであることから、第２接続用接片８２０４あるいは第３接続用接片８２０６のうち何れか一方は、２つの接片が余ることになる。
しかしながら、照明装置のように比較的大きな電流が流れる場合には、電源（ＵＮＲＥＧ）とグランド（ＧＮＤ）の端子をそれぞれ２つずつ割り当てると、中継基板８０の配線パターン８２、中継基板側コネクタ８４、アクセサリー側コネクタ９０のそれぞれにおける抵抗値を抑制するとともに、電流容量を確保する上で有利となる。
【００３７】
次に、本体ユニット３００と装着部ユニット４００との取り付けについて説明する。
まず、図１９、図３１に示すように、装着部ユニット４００の軸部５０を、後部ケース３０８の外部開口３２２から装着部ユニット取着用孔３２０に挿入し、４個の係止壁４０２を４個の第１支持壁３２８の間から支持溝３３１に挿入する。
次に、図３２に示すように、軸部５０を４５度回転させると４個の係止壁４０２も軸部５０と一体に回転し、４個の係止壁４０２は、第１支持壁３２８と第２支持壁３３０とにより軸部５０の長さ方向において挟まれ、支持溝３３１により軸方向に移動不能に支持される。
次いで、図３３に示すように、リング部材５００の環板部５０２を、後部ケース３０８の内部開口３２４から装着部ユニット取着用孔３２０に挿入する。
そして、２個の凹部５１０を２個の第２支持壁３３０にそれぞれ係合させるとともに凹部５０６Ｂを回転止め用凸部３３２に係合させ、一対の脚片５０６Ａを隣り合う２つの係止壁４０２の互いに向かい合う箇所に係合させる。
これにより、係止壁４０２の回転が阻止される。
【００３８】
図１９に示すように、この状態で、電子回路側コネクタ９０を装着部ユニット４００の中継基板側コネクタ８４に接続し、基板３１４を中間ケース３０６に取着する。
そして、中間ケース３０６の後部を基板３１４と共に後部ケース３０８に収容させ、ねじ３３０を中間ケース３０６の前部の下端に設けられたねじ挿通孔３０７を通してリング部材５００に設けられたねじ孔５２０に螺合する。これにより、リング部材５００は中間ケース３０６に固定され、同時に、中間ケース３０６の下部もリング部材５００を介して後部ケース３０８に固定されることになる。
最後に、前部ケース３０４を中間ケース３０６の前部に被せ、前部ケース３０４の係止爪３０６を後部ケース３０８の不図示の係合部に係合させることで前部ケース３０４を後部ケース３０８に取着する。
これにより、本体ユニット３００と装着部ユニット４００との取り付けおよびアクセサリー２００の組み付けが完了する。
なお、本実施例では、装着部ユニット４００の環板４０１は軸部５０の軸心を中心に回転可能であるため、本体ユニット３００は装着部ユニット４００に対して（軸部５０に対して）軸部５０の軸心を中心に回転可能となる。
したがって、電子機器側コネクタ１０におけるアクセサリー側コネクタ４０の挿入方向がビデオカメラ１００の前方または後方の何れを向いている場合であっても、アクセサリー２００の前方（本実施例では補助光を照射する方向）をビデオカメラ１００の前方に合致させた状態でアクセサリー２００をビデオカメラ１００に装着することが可能となる。
【００３９】
本実施例によれば、装着部ユニット４００の係止壁４０２を本体ユニット側ケース３００の外部開口３２２から挿入して回転させることで支持溝３３１により軸方向に移動不能に支持し、リング部材５００の係合部５０６で係止壁４０２の回転を阻止するといった簡単な方法で本体側ユニット３００と装着部ユニット４００とを組み立てることができ、アクセサリー２００の組み立ての簡素化および製造コストの削減を図る上で有利となる。
また、本体ユニット３００に装着部ユニット４００を取着するために要する専用部材がリング部材５００のみで済むため、部品点数を削減でき製造コストを削減する上でより有利となる。
また、リング部材５００は、装着部ユニット装着用孔３２０に挿入され本体ユニット側ケース３０２（後部ケース３０８）の内部に収容されアクセサリー２００の外方から隠されている。したがって、アクセサリー２００の外側に本体ユニット側ケース３００と装着部ユニット４００以外の部材が露出せず、アクセサリー２００の美観を損ねることがなく、アクセサリー２００のデザインの自由度を確保する上で有利となる。
【００４０】
なお、上述した実施例では、アクセサリー２００が照明装置である場合について説明したが、アクセサリー２００は照明装置に限定されるものではなく、例えば、音声を収音するマイクロフォン、画像を撮像する小型カメラ、あるいは、画像を紙媒体に印刷出力するプリンタなどであってもよいことはもちろんである。
また、実施例では、アクセサリー２００が装着される電子機器がビデオカメラである場合について説明したが、本発明のアクセサリーが装着される電子機器はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどであってもよいことはもちろんである。
【図面の簡単な説明】
【００４１】
【図１】実施例１のアクセサリー２００とそれが装着されるビデオカメラ１００を前方から見た斜視図である。
【図２】ビデオカメラ１００に設けられた電子機器側コネクタのシャッタが閉塞位置にある状態を示す斜視図である。
【図３】ビデオカメラ１００に設けられた電子機器側コネクタのシャッタが開放位置にある状態を示す斜視図である。
【図４】（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
【図５】（Ｅ）は図４（Ｄ）のＥ矢視図、（Ｆ）は（Ｅ）のＦＦ線断面図である。
【図６】アクセサリーに設けられたアクセサリー側コネクタの斜視図である。
【図７】アクセサリー側コネクタの平面図である。
【図８】図６のＡ矢視図である。
【図９】図７のＢ矢視図である。
【図１０】図８のＣＣ線断面図である。
【図１１】電子機器側コネクタにアクセサリー側コネクタが挿入された状態を示す断面図である。
【図１２】電子機器側コネクタにアクセサリー側コネクタが装着された状態を示す断面図である。
【図１３】電子機器側コネクタの上方にアクセサリー側コネクタを位置させた状態を示す斜視図である。
【図１４】図１３のＡ矢視図である。
【図１５】電子機器側コネクタにアクセサリー側コネクタが装着された状態を示す斜視図である。
【図１６】図１５のＡ矢視図である。
【図１７】アクセサリー側コネクタ４０の構成を示す説明図である。
【図１８】（Ａ）は中継基板の一方の面を示す平面図、（Ｂ）は中継基板の他方の面を示す平面図である。
【図１９】アクセサリー２００の分解斜視図である。
【図２０】装着ユニットの斜視図である。
【図２１】アクセサリー２００の組み立ての説明図である。
【図２２】本体ユニット側ケースの正面図である。
【図２３】図２２のＡ矢視図である。
【図２４】図２２のＢ矢視図である。
【図２５】図２２のＣ矢視図である。
【図２６】図２２のＤＤ線断面図である。
【図２７】図２３のＦＦ線断面図である。
【図２８】図２２のＥＥ線断面図である。
【図２９】（Ａ）はリング部材の平面図、（Ｂ）は（Ａ）のＢ矢視図、（Ｃ）は（Ａ）のＣ矢視図である。
【図３０】（Ｄ）は図２９（Ｂ）のＤ矢視図、（Ｅ）は（Ｄ）のＥ矢視図、（Ｆ）は（Ｄ）のＦ矢視図、（Ｇ）は（Ｄ）のＧＧ線断面図である。
【図３１】本体ユニットと装着部ユニットとの取り付け説明図である。
【図３２】本体ユニットと装着部ユニットとの取り付け説明図である。
【図３３】本体ユニットと装着部ユニットとの取り付け説明図である。
【符号の説明】
【００４２】
１００……ビデオカメラ、２００……アクセサリー、３００……本体ユニット、４００……装着部ユニット、５００……リング部材、３０２……本体ユニット側ケース、３２０……装着部ユニット取着用孔、３２２……外部開口、３２４……内部開口、３２６……内周壁、３２８……第１支持壁、３３０……第２支持壁、３３１……支持溝、３３２……回転止め用凸部、５０……軸部、５０２……係止壁、５０２……環板部、５０４……回転阻止部、５０６……係合部、５０６Ｂ……凹部。
【図１】
2006173874.tif 000003
【図２】
2006173874.tif 000004
【図３】
2006173874.tif 000005
【図４】
2006173874.tif 000006
【図５】
2006173874.tif 000007
【図６】
2006173874.tif 000008
【図７】
2006173874.tif 000009
【図８】
2006173874.tif 000010
【図９】
2006173874.tif 000011
【図１０】
2006173874.tif 000012
【図１１】
2006173874.tif 000013
【図１２】
2006173874.tif 000014
【図１３】
2006173874.tif 000015
【図１４】
2006173874.tif 000016
【図１５】
2006173874.tif 000017
【図１６】
2006173874.tif 000018
【図１７】
2006173874.tif 000019
【図１８】
2006173874.tif 000020
【図１９】
2006173874.tif 000021
【図２０】
2006173874.tif 000022
【図２１】
2006173874.tif 000023
【図２２】
2006173874.tif 000024
【図２３】
2006173874.tif 000025
【図２４】
2006173874.tif 000026
【図２５】
2006173874.tif 000027
【図２６】
2006173874.tif 000028
【図２７】
2006173874.tif 000029
【図２８】
2006173874.tif 000030
【図２９】
2006173874.tif 000031
【図３０】
2006173874.tif 000032
【図３１】
2006173874.tif 000033
【図３２】
2006173874.tif 000034
【図３３】
2006173874.tif 000035